(57)【要約】      （修正有）【課題】多種類の設置対象物に組付けることができる発光警告装置を提供する。【解決手段】灯台と、電力供給源と、回路板と、複数の発光ダイオードと、スイッチと、カバーと、を含む発光警告装置において、前記灯台は、その底部には複数の係合具が設けられており、括り具に設けられた連接部に脱着可能であり、その頂部には収容空間が開設されており、前記電力供給源は、前記灯台に開設された前記収容空間に収容されており、電力を供給し、前記回路板は、前記電力供給源と電気的に連接しており、前記灯台の頂部に定位されており、前記発光ダイオードは、前記回路板に設けられており、前記回路板と電気的に連接しており、前記スイッチは、前記回路板に設けられており、前記回路板と電気的に連接しており、前記カバーは、前記灯台をカバーしており、且つ前記回路板と前記発光ダイオードと前記スイッチとをカバーしている。【選択図】図２
0003151316.tif 000002
【実用新案登録請求の範囲】
【請求項１】
灯台と、電力供給源と、回路板と、複数の発光ダイオードと、スイッチと、カバーと、を含む発光警告装置において、
前記灯台は、その底部には複数の係合具が設けられており、括り具に設けられた連接部に脱着可能であり、その頂部には収容空間が開設されており、
前記電力供給源は、前記灯台に開設された前記収容空間に収容されており、電力を供給し、
前記回路板は、前記電力供給源と電気的に連接しており、前記灯台の頂部に定位されており、
前記発光ダイオードは、前記回路板に設けられており、前記回路板と電気的に連接しており、
前記スイッチは、前記回路板に設けられており、前記回路板と電気的に連接しており、
前記カバーは、前記灯台をカバーしており、且つ前記回路板と前記発光ダイオードと前記スイッチとをカバーしていることを特徴とする、発光警告装置。
【請求項２】
前記スイッチは、多段に切替可能なタッチ式スイッチであり、前記カバーの前記スイッチが設けられている部位を押圧することにより、発光ダイオードの点滅状態を制御可能であることを特徴とする、請求項１に記載の発光警告装置。
【請求項３】
前記灯台の底部に設けられた係合具は、距離を置いている複数の係りピンであり、前記各係りピンの外面の上端にはフック部が設けられており、前記括り具はベースを有し、前記ベースの中心には、前記灯台に対応しており前記灯台を収容可能な収容穴が設けられており、前記収容穴のエッジには、距離を置いている複数の溝が開設されており、これらの前記溝が連接部を構成し、前記係りピンに設けられたフック部が前記溝と係合可能であることを特徴とする、請求項１に記載の発光警告装置。
【考案の詳細な説明】
【技術分野】
【０００１】
本考案は、発光によって周りの人に警告する装置に関し、特に、各種類の括り具によって、ハムレット又は二輪車に組付可能な発光警告装置に関するものである。
【背景技術】
【０００２】
従来の発光警告装置の形式は色々あり、例えば台湾特許第８９２１７１１２号、台湾特許第９６２１６５１６号、台湾特許第９６２０８７４３号及び台湾特許第９６２１３２９１号などは、ハムレット、オートバイの後方、自転車のハンドル、又は鞍部の下方などに固定され、発光によって周りの人に警告する装置であり、各種類の発光器の設置可能な部位は決められており、交換性が全くなく、このように、各車両には専用タイプの発光器を設けることが必要であり、各用途（例えば自転車用、オートバイ用、又は工事用など）のハムレットにも専用タイプの発光器を設けることが必要であり、各種類の発光器の生産方式は小数量多品種であるので、生産コストが低減できないという問題があった。
【先行技術文献】
【特許文献】
【０００３】
【特許文献１】台湾特許第８９２１７１１２号公報
【特許文献２】台湾特許第９６２１６５１６号公報
【特許文献３】台湾特許第９６２０８７４３号公報
【特許文献４】台湾特許第９６２１３２９１号公報
【考案の概要】
【考案が解決しようとする課題】
【０００４】
本考案の主な目的は、多種類の設置対象物に組付可能な発光警告装置を提供することにある。
【課題を解決するための手段】
【０００５】
本考案の請求項１に記載の発光警告装置によると、灯台と、電力供給源と、回路板と、複数の発光ダイオードと、スイッチと、カバーと、を含む発光警告装置において、前記灯台は、その底部には複数の係合具が設けられており、括り具に設けられた連接部に脱着可能であり、その頂部には収容空間が開設されており、前記電力供給源は、前記灯台に開設された前記収容空間に収容されており、電力を供給し、前記回路板は、前記電力供給源と電気的に連接しており、前記灯台の頂部に定位されており、前記発光ダイオードは、前記回路板に設けられており、前記回路板と電気的に連接しており、前記スイッチは、前記回路板に設けられており、前記回路板と電気的に連接しており、前記カバーは、前記灯台をカバーしており、且つ前記回路板と前記発光ダイオードと前記スイッチとをカバーしていることを特徴とする発光警告装置である。
【０００６】
本考案の請求項２に記載の発光警告装置によると、前記スイッチは、多段に切替可能なタッチ式スイッチであり、前記カバーの前記スイッチが設けられている部位を押圧することにより、発光ダイオードの点滅状態を制御可能である。
【０００７】
本考案の請求項３に記載の発光警告装置によると、前記灯台の底部に設けられた係合具は、距離を置いている複数の係りピンであり、前記各係りピンの外面の上端にはフック部が設けられており、前記括り具はベースを有し、前記ベースの中心には、前記灯台に対応しており前記灯台を収容可能な収容穴が設けられており、前記収容穴のエッジには、距離を置いている複数の溝が開設されており、これらの前記溝が連接部を構成し、前記係りピンに設けられたフック部が前記溝と係合可能である。
【考案の効果】
【０００８】
本考案の発光警告装置によれば、多種類の設置対象物に組付けることができるという効果を有する。
【図面の簡単な説明】
【０００９】
【図１Ａ】本考案の分解斜視図である。
【図１Ｂ】本考案に係る電力供給源および回路板を示す模式図である。
【図２】本考案に係る発光警告装置の組合状態の模式図である。
【図３】本考案に係る発光警告装置がハムレットに設置されている状態の模式図である。
【図４】本考案の実施例に係る発光警告装置の組合状態の模式図である。
【図５】本考案に係る発光警告装置が自転車のハンドルに設置されている状態の模式図である。
【図６】図４の断面図である。
【考案を実施するための形態】
【００１０】
以下、本考案の実施の形態を図面に基づいて説明する。
【００１１】
まず、図１Ａ及び図１Ｂを参照する。本考案に係る発光警告装置１０は、灯台１１と、電力供給源１２と、回路板１３と、複数の発光ダイオード１４と、スイッチ１５と、カバー１６と、を含む。
【００１２】
灯台１１は、その底部には複数の係合具１１２が一体に設けられており、係合具１１２は、距離を置いている複数の係りピン１１２１であり、各係りピン１１２１の外面の上端にはフック部１１２２が設けられている。
【００１３】
本実施例では、電力供給源１２がリチウムイオン電池であり、もちろん、電力供給源１２は太陽エネルギー電池を使用してもよく、電力供給源１２が収容空間１１１に収容されている。
【００１４】
回路板１３は、電力供給源１２と電気的に連接しており、灯台１１の頂部に定位されており、回路板１３には、各種類の電子部品および回線が設けられている。
【００１５】
複数の発光ダイオード１４は、回路板１３に設けられており、回路板１３と電気的に連接しており、本実施例では、発光ダイオード１４が回路板１３の周縁に設けられており、回路板１３の上には遮光片１７が設けられており、遮光片１７の周縁には貫通孔１７１が複数に開設されており、このように、複数の発光ダイオード１４が発光しているときに、貫通孔１７１の輪郭が表示される。
【００１６】
スイッチ１５は、タッチ式スイッチであり、回路板１３の中心に設けられており、回路板１３と電気的に連接しており、本実施例では、スイッチ１５が三段式切替スイッチであり、オフ状態、オン状態と点滅状態のうちの一つを選択することができる。
【００１７】
カバー１６は、フレキシブルな材料で作製されたものであり、灯台１１をカバーしており、且つ電力供給源１２と回路板１３と発光ダイオード１４とスイッチ１５と遮光片１７とをカバーしており、カバー１６のスイッチ１５が設けられている部位を押圧することにより、発光ダイオード１４の点滅状態を制御することができる。
【００１８】
本考案に係る発光警告装置１０は、連接部を有する括り具２０によって別の品物と連接することができ、図２及び図３に示すように、括り具２０は、自転車用ハムレットＡ（他の用途に使用されるハムレットでもよい）に組付けるための二つの連接バンド２１、２２と、連接バンド２１、２２に連接されており連接バンド２１、２２の連接後の長さを調整するための結合具２３と、から構成され、結合具２３はベース２３１を有し、ベース２３１の中心には、灯台１１に対応しており灯台１１を収容可能な収容穴２３２が設けられており、収容穴２３２のエッジには、距離を置いている複数の溝２３３が開設されており、これらの溝２３３が連接部を構成し、係りピン１１２１に設けられたフック部１１２２が溝２３３と係合可能であり、溝２３３にフック部１１２２を係合すると、本考案に係る発光警告装置１０が結合具２３に固定され、なお、発光警告装置１０を回転すると、連接バンド２１、２２の連接後の長さを調整することができ、これにより、ユーザの頭にハムレットをしっかり固定することができる。このように、ベース２３１と収容穴２３２と若干の溝２３３とから構成される連接部を有する何れかの形式の括り具２０であれば、本考案に係る発光警告装置１０を、括り具２０を介して品物に固定することができる。
【００１９】
図４及び図５に示すように、本考案に係る発光警告装置１０が括り具３０に組み付けられており、括り具３０は環状を呈するベース３１を有し、ベース３１の中心には、灯台１１に対応しており灯台１１を収容可能な収容穴３１１が開設されており、収容穴３１１の中心には、上端の内径が下端の内径よりも小さい階段断面形状内壁面付き穴３１２が開設されており、階段断面形状内壁面付き穴３１２の前記小径部と前記大径部の連接箇所では連接部が形成され、図６に示すように、本考案に係る灯台１１の下端に設けられた係合具１１２の複数の係りピン１１２１を階段断面形状内壁面付き穴３１２に挿入して、フック部１１２２が接合縁部３１３に係止されると、本考案に係る発光警告装置１０が括り具３０に固定される。括り具３０のベース３１の一端にはフレキシブルで伸縮可能な括りバンド３２が設けられており、ベース３１の他端には係り部３３が凸設されている。ハムレットに開設された貫通孔、オートバイや自転車のハンドル、又は衣装に設けられたボタンなどに、括りバンド３２を掛け回して係り部３３と係合すると、括り具３０が上記の品物に固定され、括り具３０に発光警告装置１０を組付けると、本考案に係る発光警告装置１０を上記の品物に固定することができる。
【産業上の利用可能性】
【００２０】
本考案は、発光警告装置に適用することができるだけでなく、多数の種類の品物に固定することが要求される何れかのものに適用することもできる。
【符号の説明】
【００２１】
１０：発光警告装置、１１：灯台、１２：電力供給源、１３：回路板、１４：発光ダイオード、１５：スイッチ、１６：カバー、１７：遮光片、２０：括り具、２１，２２：連接バンド、２３：結合具、３０：括り具、３１：ベース、３２：括りバンド、３３：係り部、１１１：収容空間、１１２：係合具、１７１：貫通孔、２３１：ベース、２３２：収容穴、２３３：溝、３１１：収容穴、３１２：階段断面形状内壁面付き穴、３１３：接合縁部、１１２１：係りピン、１１２２：フック部、Ａ：ハムレット。
【図１Ａ】
0003151316.tif 000003
【図１Ｂ】
0003151316.tif 000004
【図２】
0003151316.tif 000005
【図３】
0003151316.tif 000006
【図４】
0003151316.tif 000007
【図５】
0003151316.tif 000008
【図６】
0003151316.tif 000009